(57)【要約】【課題】  作業者の安全性の向上を図りつつ、原子炉再循環系の仕切弁の分解点検作業の短縮を実現可能な（定検の短縮を実現可能な）仕切弁の分解点検補助装置を提供する。【解決手段】  本発明にかかる仕切弁の分解点検補助装置１３０の代表的な構成は、放射線防護材によって仕切弁２１０の弁座２１８ａ内部に挿抜可能に形成される略円板状の遮蔽板１３４と、遮蔽板１３４の周縁部に沿って連結されるパッキン１３６と、パッキン１３６を押圧して放射状に膨出させ、弁座２１８ａの内面との隙間を封止する封止機構１４２とを有することを特徴とする。【選択図】図５
2012181082.tif 000002
【特許請求の範囲】
【請求項１】
放射線防護材によって仕切弁の弁座内部に挿抜可能に形成される略円板状の遮蔽板と、
前記遮蔽板の周縁部に沿って連結されるパッキンと、
前記パッキンを押圧して放射状に膨出させ、前記弁座の内面との隙間を封止する封止機構と、
を有することを特徴とする仕切弁の分解点検補助装置。
【請求項２】
前記パッキンは、前記遮蔽板の背面側に連結され、
前記封止機構は、前記遮蔽板の表面側に配置される頭部および該遮蔽板の表面から背面へと貫通する軸部からなる駆動支軸と、該軸部の先端に連結されるパッキン拡張板とを備え、
前記駆動支軸の頭部を工具で回転させて前記遮蔽板に近接するように前記パッキン拡張板を引き寄せることで、該パッキン拡張板が前記パッキンを押圧して放射状に膨出させることを特徴とする請求項１に記載の仕切弁の分解点検補助装置。
【請求項３】
前記封止機構は、複数の前記駆動支軸と、該駆動支軸のそれぞれの頭部に設けられた外歯の小歯車と、それぞれの該小歯車と噛み合い、１つの小歯車の回転に伴い他の小歯車を同方向に回転させる内歯の大歯車とを備えることを特徴とする請求項２に記載の仕切弁の分解点検補助装置。
【請求項４】
仕切弁の弁箱内に設けられた弁体ガイドに摺動可能に嵌合する位置合わせ部と、
前記弁体ガイドに前記位置合わせ部が嵌合し、前記弁箱の底面に着座した状態で、前記仕切弁の弁座の開口に沿って配置される案内部と、
を有することを特徴とする仕切弁の分解点検補助装置の案内治具。
【請求項５】
前記案内部は、前記弁座の開口に近接するほど幅が狭くなっていることを特徴とする請求項４に記載の仕切弁の分解点検補助装置の案内治具。
【請求項６】
原子力発電所の放射線の被曝領域に備えられる仕切弁の分解点検方法であって、
放射線防護材によって仕切弁の弁座内部に挿抜可能に形成される略円板状の遮蔽板と、該遮蔽板の周縁部に沿って連結されるパッキンと、該パッキンを押圧して放射状に膨出させ該弁座の内面との隙間を封止する封止機構とを有する仕切弁の分解点検補助装置を、前記被曝領域に備えられる仕切弁の弁座の内部に挿入し、
前記封止機構により、前記弁座の内面との隙間を封止し、
前記分解点検補助装置にて封止した手前側の化学除染を実施し、
前記仕切弁の点検作業を実施し、
前記弁座から前記分解点検補助装置を取り外すことを特徴とする仕切弁の分解点検方法。
【発明の詳細な説明】
【技術分野】
【０００１】
本発明は、原子力発電所等の放射線の被曝領域に備えられる仕切弁の分解点検補助装置およびその案内治具、並びに仕切弁の分解点検方法に関する。
【背景技術】
【０００２】
原子力発電所では、電気事業法第五四条にもとづき、定期検査（以下、「定検」と称する）が実施されている。かかる定検は、以前は１００日程度の期間をかけて行われることが多かった。しかし、近年では技術進歩により、安全性を充分に確保しつつ、その期間が短縮されてきている。定検のために原子炉を停止させている期間が短いほど、発電所の設備利用率が向上されるため、さらなる定検の短縮が望まれている。
【０００３】
定検には、原子炉再循環系（PLR:Primary Loop Recirculation System）の仕切弁の分解点検作業が含まれている。この原子炉再循環系の仕切弁の分解点検作業は、殆どの場合、定検のクリティカル工程（定検期間を決定する作業を組み合わせた工程）となる。したがって、この原子炉再循環系の仕切弁の分解点検作業を、安全性を充分に確保しつつ短縮できれば、定検の短縮を図ることが可能となる。
【０００４】
原子炉再循環系の仕切弁の分解点検作業に際しては、放射線による被曝を低減するために化学除染が実施される。従来のこの化学除染については、例えば、特許文献１に記載されている。特許文献１では、仕切弁の両弁座を閉止板で塞いで、弁箱中央部内に除染液を充満して化学除染を実施し、その後仕切弁の点検作業を実施するとしている。
【先行技術文献】
【特許文献】
【０００５】
【特許文献１】特開２００３−２４０８９３号公報
【発明の概要】
【発明が解決しようとする課題】
【０００６】
上記特許文献１の技術では、仕切弁の両弁座を閉止板で塞いでいるため、当然ながらその弁座の内部（閉止板の内部）を除染することはできない。すなわち、その弁座の内部には放射線源（放射性物質）が残存した状態となる。この状態で、両弁座から閉止板を取り外し点検作業（弁座のシート面の摺り合わせ等）を実施すると、弁座の内部に残存する放射線源から発せられる放射線によって被爆してしまう。
【０００７】
原子力発電所では、作業者の安全性を充分に確保するために、作業者の１日当たりの被爆線量の上限が規定されている。上記のように、弁座の内部に放射線源が残存する状態では、各作業者が短い時間で１日当たりの被爆線量の上限に達してしまい、連続して点検作業にあたることができない。この点検作業は、熟練を要する作業でもあり、作業者の交代を繰り返さなければならない状態では、作業効率の低下を招かざるを得ない。このような現状から、原子炉再循環系の仕切弁の分解点検作業の短縮は、困難な状態にあった。
【０００８】
また、実際には、両弁座から閉止板を取り外した後には点検作業の実施前に、弁座の内部に残存する放射線源の飛散を防ぐため及びＲＰＶ負圧管理維持・負圧による異物吸い込まれ防止の観点から、弁座の内部に風船状の詰め物をする。すなわち、実際には、この風船状の詰め物をする工程も考慮しなければならず（その時間も考慮しなければならず）、原子炉再循環系の仕切弁の分解点検作業の短縮は、困難な状態にあった。
【０００９】
本発明は、このような課題に鑑みてなされたものであり、作業者の安全性の向上を図りつつ、原子炉再循環系の仕切弁の分解点検作業の短縮を実現可能な（定検の短縮を実現可能な）仕切弁の分解点検補助装置およびその案内治具、並びに仕切弁の分解点検方法を提供することを目的とする。
【課題を解決するための手段】
【００１０】
上記課題を解決するために本発明にかかる仕切弁の分解点検補助装置の代表的な構成は、放射線防護材によって仕切弁の弁座内部に挿抜可能に形成される略円板状の遮蔽板と、遮蔽板の周縁部に沿って連結されるパッキンと、パッキンを押圧して放射状に膨出させ弁座の内面との隙間を封止する封止機構とを有することを特徴とする。
【００１１】
かかる分解点検補助装置を仕切弁の弁座内部に挿入して弁座内部を封止することで、化学除染を実施可能であり（除染液を充満させることが可能であり）、且つ弁座の内部に残存する放射線源からの放射線を遮蔽板によって遮蔽することができる。分解点検補助装置は、仕切弁の弁座の開口を被覆するのではなく弁座内部に挿入されるため、弁座のシート面の摺り合わせ等を含む点検作業に支障が生じることはなく、分解点検補助装置を取り付けたまま（放射線源からの放射線を遮蔽板で遮蔽したまま）化学除染〜点検作業をこなすことができる。分解点検補助装置を取り付けたままでよいため、当然ながら従来の風船状の詰め物をする必要もない。これより、作業者の安全性の向上（被爆線量の低減）を図りつつ、原子炉再循環系の仕切弁の分解点検作業の短縮が可能であり、定検の短縮が可能となる。
【００１２】
上記パッキンは、上記遮蔽板の背面側に連結され、上記封止機構は、遮蔽板の表面側に配置される頭部および遮蔽板の表面から背面へと貫通する軸部からなる駆動支軸と、軸部の先端に連結されるパッキン拡張板とを備え、駆動支軸の頭部を工具で回転させて遮蔽板に近接するようにパッキン拡張板を引き寄せることで、パッキン拡張板がパッキンを押圧して放射状に膨出させるとよい。これにより、弁座の内面との隙間を好適に封止することができる。
【００１３】
上記封止機構は、複数の上記駆動支軸と、駆動支軸のそれぞれの頭部に設けられた外歯の小歯車と、それぞれの小歯車と噛み合い、１つの小歯車の回転に伴い他の小歯車を同方向に回転させる内歯の大歯車とを備えるとよい。かかる構成では、１つの駆動支軸の頭部を工具で回転させるとその小歯車が回転し、この小歯車の回転に伴い他の小歯車が同方向に回転する。そのため、均等にパッキン拡張板を引き寄せたり、引き離したりすることができる。これにより、弁座の内面との隙間を好適に封止することができる。
【００１４】
上記課題を解決するために本発明にかかる仕切弁の分解点検補助装置の案内治具の代表的な構成は、仕切弁の弁箱内に設けられた弁体ガイドに摺動可能に嵌合する位置合わせ部と、弁体ガイドに位置合わせ部が嵌合し、弁箱の底面に着座した状態で、仕切弁の弁座の開口に沿って配置される案内部とを有することを特徴とする。
【００１５】
かかる案内治具によれば、仕切弁の弁座のシート面を傷つけるおそれなく、仕切弁の分解点検補助装置を正確に弁座内部に挿入することができる。案内治具を使用することで、簡単に仕切弁の分解点検補助装置を挿入できるため、原子炉再循環系の仕切弁の分解点検作業の短縮にも寄与する。
【００１６】
上記案内部は、上記弁座の開口に近接するほど幅が狭くなっているとよい。これにより、好適に、仕切弁の分解点検補助装置を弁座内部に挿入することができる。
【００１７】
上記課題を解決するために本発明の他の代表的な構成は、原子力発電所の放射線の被曝領域に備えられる仕切弁の分解点検方法であって、放射線防護材によって仕切弁の弁座内部に挿抜可能に形成される略円板状の遮蔽板と、遮蔽板の周縁部に沿って連結されるパッキンと、パッキンを押圧して放射状に膨出させ弁座の内面との隙間を封止する封止機構とを有する仕切弁の分解点検補助装置を、被曝領域に備えられる仕切弁の弁座の内部に挿入し、封止機構により弁座の内面との隙間を封止し、分解点検補助装置にて封止した手前側の化学除染を実施し、仕切弁の点検作業を実施し、弁座から分解点検補助装置を取り外すことを特徴とする。
【００１８】
かかる分解点検方法によれば、作業者の安全性を確保（被爆線量を低減）しつつ、原子炉再循環系の仕切弁の分解点検作業の短縮が可能であり、定検の短縮が可能となる。なお、上述した仕切弁の分解点検補助装置における技術的思想に対応する構成要素やその説明は、当該仕切弁の分解点検方法にも適用される。
【発明の効果】
【００１９】
本発明によれば、原子力発電所の高線量環境下に存在する仕切弁の化学除染〜点検作業を、被爆線量を低減しつつ、一貫して実施することができる。したがって、作業者の安全性の向上、および仕切弁の分解点検作業の短縮が可能であり、定検の短縮が可能となる。
【図面の簡単な説明】
【００２０】
【図１】本実施形態にかかる仕切弁の分解点検方法の各手順を示す図である。
【図２】原子炉再循環系の仕切弁を示す図である。
【図３】図２に示す仕切弁の断面図である。
【図４】図３（ｂ）に示す仕切弁の弁箱に案内治具を設置する図である。
【図５】本実施形態にかかる仕切弁の分解点検補助装置を示す図である。
【図６】図５に示す分解点検補助装置を原子炉再循環系の仕切弁の弁座内部に挿入する図である。
【図７】図６に示す分解点検補助装置と原子炉再循環系の仕切弁の弁座の内面との隙間を封止する概略図である。
【図８】図７に示す分解点検補助装置の第１の変形例の概略図である。
【図９】図７に示す分解点検補助装置の第２の変形例の概略図である。
【図１０】図７に示す分解点検補助装置の第３の変形例の概略図である。
【図１１】図７に示す分解点検補助装置の第４の変形例の概略図である。
【図１２】化学除染の実施に際してターンバックルを取り付ける図である。
【発明を実施するための形態】
【００２１】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００２２】
図１は、本実施形態にかかる仕切弁の分解点検方法の各手順を示す図である。本実施形態では、図１に示す各手順（第１ステップＳ１００〜第９ステップＳ１１６）に則って、原子力発電所の高線量環境下に存在する仕切弁の化学除染〜点検作業を一貫的に実施する。
【００２３】
図２は、原子炉再循環系２０２の仕切弁２１０を示す図である。図３は図２に示す仕切弁２１０の断面図であり、図３（ａ）が図２のＡ−Ａ断面図、図３（ｂ）が図３（ａ）の仕切弁２１０の弁蓋２１４、弁体２１６を取り外した図である。
【００２４】
図２に示すように、原子炉再循環系２０２は、原子炉内の冷却水を原子炉圧力容器２００から抜き出し、ポンプ２０８で昇圧して原子炉内に戻す働きをする。原子炉再循環系２０２の仕切弁２１０は、原子炉圧力容器２００内の水を抜かなければ点検することができない水没弁であり、高線量環境下に存在する。そのため、この仕切弁２１０の分解点検作業は、殆どの場合、定検のクリティカル工程（定検期間を決定する作業を組み合わせた工程）となる。
【００２５】
第１ステップＳ１００では、図３（ａ）、（ｂ）に示すように、仕切弁２１０の弁蓋２１４および弁体２１６を取り外す。仕切弁２１０の弁蓋２１４および弁体２１６の取り外しには、チェーンブロック２３０（図６（ａ）参照）を使用する。
【００２６】
図４は、仕切弁２１０の弁箱２１２に案内治具１２０を設置する図である。図４（ａ）は案内治具１２０の全体形状を示す斜視図であり、図４（ｂ）、（ｃ）は案内治具１２０を仕切弁２１０の弁箱２１２に設置した図である。図４（ｂ）はその上面図であり、図４（ｃ）はその側断面図（図３（ｂ）に対応する図）である。
【００２７】
第２ステップＳ１０２では、図４（ａ）〜（ｃ）に示すように、仕切弁２１０の弁箱２１２に案内治具１２０を設置する。案内治具１２０は、全体が略Ｕ字形状であって、その両端には、弁箱２１２内に設けられた凸状の弁体ガイド２１２ａに嵌合する凹状の位置合わせ部１２２が設けられている。この弁体ガイド２１２ａと位置合わせ部１２２との嵌合により、案内治具１２０の取付位置の精度を確保することができる。
【００２８】
案内治具１２０は、凸状の弁体ガイド２１２ａに凹状の位置合わせ部１２２を嵌合させ弁箱２１２の底面に着座させた状態で、弁座２１８ａ、２１８ｂの開口（シート面２２０ａ、２２０ｂ（図３（ｂ）参照））に沿うように配置される案内部１２４を有する。案内部１２４は略円弧状に屈曲し、シート面２２０ａ、２２０ｂの下半分に沿っている。案内治具１２０は、この案内部１２４によって、後述の仕切弁の分解点検補助装置（以下「分解点検補助装置１３０、１３２」と称する）の弁座２１８ａ、２１８ｂ内部への挿抜を補助する（容易にする）。
【００２９】
案内治具１２０の案内部１２４は、弁座２１８ａ、２１８ｂの開口（シート面２２０ａ、２２０ｂ）に沿うように略円弧状に屈曲する径が、弁座２１８ａ、２１８ｂの開口に近接するほど狭く（弁座２１８ａ、２１８ｂの開口に近接するほどその幅が狭く）、中央付近では（弁座２１８ａ、２１８ｂの真ん中では）広くなっている。
【００３０】
よって、分解点検補助装置１３０、１３２を上方から容易に案内治具１２０の中央付近に差し込み可能である。分解点検補助装置１３０、１３２を弁座２１８ａ、２１８ｂ内部に挿入する際には、弁座２１８ａ、２１８ｂの開口に近接するほど略円弧状に屈曲する径が狭くなるため、その狭くなる傾斜１２４ａに沿って分解点検補助装置１３０、１３２を適切な位置へと案内することができる。
【００３１】
なお、案内治具１２０の案内部１２４の下部内面の高さは、弁座２１８ａ、２１８ｂの下部内面の高さよりもわずかに高いとよい。これにより、分解点検補助装置１３０、１３２の下端が、弁座２１８ａ、２１８ｂに接触して、弁座２１８ａ、２１８ｂを傷つけるおそれがなくなる。
【００３２】
図５は、本実施形態にかかる分解点検補助装置１３０、１３２を示す図である。図５（ａ）は分解点検補助装置１３０、１３２の全体形状を示す斜視図であり、図５（ｂ）、（ｃ）は分解点検補助装置１３０、１３２を吊具１５０で吊った状態を示す図である。図５（ｂ）はその正面図であり、図５（ｃ）は図５（ｂ）のＢ−Ｂ断面図である。
【００３３】
図６は、分解点検補助装置１３０、１３２を原子炉再循環系２０２の仕切弁２１０の弁座２１８ａ、２１８ｂ内部に挿入する図である。図６（ａ）がその側断面図（図４（ｃ）に対応する図）、図６（ｂ）が図６（ａ）のＣ−Ｃ断面図、図６（ｃ）が図６（ｂ）の範囲Ｅの拡大図である。
【００３４】
第３ステップＳ１０４では、図５（ａ）〜（ｃ）および図６（ａ）〜（ｃ）に示すように、分解点検補助装置１３０、１３２を仕切弁２１０の弁座２１８ａ、２１８ｂ内部に挿入する。分解点検補助装置１３０、１３２は、略円板状の遮蔽板１３４、遮蔽板１３４の背面にその周縁部に沿って連結されるパッキン１３６、遮蔽板１３４の表面に連結される吊具受け１３８（代表して１つに符号を付す）、パッキン１３６を押圧して放射状に膨出させる封止機構１４２からなる。なお、分解点検補助装置１３０、１３２は同様の構成であるため、以下では、一方の分解点検補助装置１３０を挙げて説明する。
【００３５】
略円板状の遮蔽板１３４は、放射線防護材によって仕切弁２１０の弁座２１８ａ内部に挿抜可能に形成される。放射線防護材としては、鉄鋼材料や鉛材料が挙げられる。遮蔽板１３４の板厚は、低減したい線量（放射線量）に応じて決定される。
【００３６】
遮蔽板１３４は、その直径が弁座２１８ａの開口よりもわずかに小さく形成される。また、遮蔽板１３４の端面には、表面に近づくほど後退する傾斜１３４ａが形成される（図６（ｃ）参照）。これにより、弁座２１８ａ内部への挿入時および抜出時に、弁座２１８ａや案内治具１２０に干渉することを抑えて、円滑に分解点検補助装置１３０を挿抜することが可能となる。
【００３７】
パッキン１３６は、化学除染実施時の除染液、高温環境下においてシール機能（封止機能）を発揮できるように耐薬品性、耐熱性の弾性材料で形成される。パッキン１３６は、遮蔽板１３４の径と同程度の径を有し遮蔽板１３４の背面に連結され、遮蔽板１３４の周縁部に沿ってその縁が略水平方向に張り出す（以下、この縁を「張出縁１３６ａ」と称する）。張出縁１３６ａは、根元側が厚く先端側が薄くなるようにその内側が傾斜している（以下、この傾斜を「傾斜１３６ｂ」と称する）。パッキン１３６を遮蔽板１３４の背面に連結する具体的な構造としては、ボルト等で締結する方法が挙げられる。
【００３８】
吊具受け１３８は、吊具１２６が引っ掛けられる鉤状の部材であり、ここでは４つが遮蔽板１３４の表面に連結されている。吊具１２６は、分解点検補助装置１３０ａを吊る器具であって、その上部にチェーンブロック２３０のフック２３２を受ける引掛孔１２６ａが設けられている。すなわち、分解点検補助装置１３０は、その吊具受け１３８に吊具１２６が引っ掛けられ、吊具１２６をチェーンブロック２３０で懸垂することによって、案内治具１２０に差し込まれる（弁箱２１２内部に挿入される）。なお、吊具１２６の引掛孔１２６ａは、真っ直ぐに分解点検補助装置１３０を吊れるように、その重心の直上に位置するように設定される。
【００３９】
吊具１２６には、その上部で縦軸に交差するように位置調整取手１２６ｂが設けられる。チェーンブロック２３０で懸垂され案内治具１２０に差し込まれる際に、この位置調整取手１２６ｂを持ち手として位置調整を行うためである。また吊具１２６の縦軸の中途には、ゴム製等の緩衝部１２６ｃが設けられる。万が一、弁座２１８ａのシート面２２０ａに接触した場合に、シート面２２０ａを傷つけないためである。
【００４０】
図７は分解点検補助装置１３０と原子炉再循環系２０２の仕切弁２１０の弁座２１８ａの内面との隙間Ｌ１を封止する概略図であり、図７（ａ）がその隙間Ｌ１の封止前の状態を示す断面図、図７（ｂ）がその隙間Ｌ１の封止後の状態を示す断面図である。なお、図７〜図１０では、吊具１２６および吊具受け１３８の図示を省略する。
【００４１】
第４ステップＳ１０６では、図７（ａ）、（ｂ）に示すように、封止機構１４２により弁座２１８ａの内面との隙間Ｌ１を封止する。封止機構１４２は、駆動支軸１４４ａ〜１４４ｄ（図５（ａ）参照）と、パッキン拡張板１５２とを含んで構成される。
【００４２】
駆動支軸１４４ａ〜１４４ｄは、遮蔽板１３４の表面側に配置される頭部としてのブッシュ１４６ａ〜１４６ｄ、および遮蔽板１３４の表面から背面へと貫通する軸部１５０ａ〜１５０ｄからなる。軸部１５０ａ〜１５０ｄの先端（遮蔽板１３４の背面側の端部）にはパッキン拡張板１５２が連結（固定）される。ブッシュ１４６ａ〜１４６ｄは、遮蔽板１３４の表面に回転可能にインロー等で連結されており、その内面には雌螺子が切られている。一方、軸部１５０ａ〜１５０ｄの遮蔽板１３４の表面側は、雄螺子が切られている。
【００４３】
ブッシュ１４６ａ〜１４６ｄの上部は工具（ソケットレンチ１２８）で回転可能に六角状に形成され、ブッシュ１４６ａ〜１４６ｄの下部の外周には歯車が切られる（以下、この外歯の歯車をそれぞれ「小歯車１４８ａ〜１４８ｄ」と称する）。各ブッシュ１４６ａ〜１４６ｄの小歯車１４８ａ〜１４８ｄは、遮蔽板１３４の表面に回転可能にインロー等で連結される内歯の大歯車１４０と噛み合っていて、１つの小歯車１４８ａ〜１４８ｄの回転に伴い、他の小歯車１４８ａ〜１４８ｄが大歯車１４０によって同方向に回転させられるように構成されている。これより、ソケットレンチ１２８で１つのブッシュ１４６ａ〜１４６ｄを回転させるだけで、他のブッシュ１４６ａ〜１４６ｄを同方向に回転させ、各軸部１５０ａ〜１５０ｄをブッシュ１４６ａ〜１４６ｄの雌螺子に沿って案内することができるため、均等にパッキン拡張板１５２を引き寄せたり、引き離したりすることが可能である。
【００４４】
パッキン拡張板１５２は、金属等で形成される円錐台状の部材であり、遮蔽板１３４の背面側（軸部１５０ａ〜１５０ｄの連結側）の径が狭くなっている。すなわち、パッキン拡張板１５２の端面は、遮蔽板１３４の背面側に向かって後退するように傾斜している。パッキン拡張板１５２が引き寄せられると、パッキン拡張板１５２の端面が、パッキン１３６の張出縁１３６ａの内側に進入してその傾斜１３６ｂを押圧する。これにより、張出縁１３６ａが放射状に膨出し、弁座２１８ａの内面との隙間Ｌ１が封止される（図７（ｂ）参照）。なお、この状態から、再びパッキン拡張板１５２を引き離すようにすれば、図７（ａ）に示す状態に戻る。
【００４５】
パッキン１３６によって隙間Ｌ１を封止すると、遮蔽板１３４全体が弁座２１８ａの中に固定される。この状態で吊具１２６をさらに下げることにより、吊具受け１３８から離脱させて、吊具１２６を遮蔽板１３４から取り外すことができる。このようにして、遮蔽板１３４を安定して設置する（残留させる）ことができる。
【００４６】
以下、分解点検補助装置１３０の他の例をいくつか挙げる。しかし、本実施形態が上記構成や以下の他の例に限定される訳ではない。
【００４７】
図８は分解点検補助装置１３０の第１の変形例の概略図であり、図８（ａ）が図７（ａ）に対応する図、図８（ｂ）が図７（ｂ）に対応する図である。図８（ａ）、（ｂ）に示すように、第１の変形例は、遮蔽板１３４を切削して形成した窪み１６０に、ブッシュ１４６ａ〜１４６ｄおよび大歯車１４０を配設した点で（遮蔽板１３４に埋め込んだ点で）、上記と異なる。この構成では、ブッシュ１４６ａ〜１４６ｄの小歯車１４８ａ〜１４８ｄおよび大歯車１４０が遮蔽板１３４から突出しないため、これらの歯車の損傷のおそれを低減できる。
【００４８】
図９は分解点検補助装置１３０の第２の変形例の概略図であり、図９（ａ）が図７（ａ）に対応する図、図９（ｂ）が図７（ｂ）に対応する図である。図９（ａ）、（ｂ）に示すように、第２の変形例は、ヘキサプラグ（六菱ゴム株式会社 商品名）を使用した封止機構１４２ａを採用した点で、上記と異なる。封止機構１４２ａでは、環状のゴムリング１３６ｃ（パッキン）をパッキン拡張板１５２ａで押圧して放射状に膨出させ、弁座２１８ａの内面との隙間Ｌ１を封止する。
【００４９】
図１０は、分解点検補助装置１３０の第３の変形例の概略図である。図１０に示すように、第３の変形例は、遮蔽板１３４の表面側に突き出ることのない封止機構１４２ｂを採用した点で、上記と異なる。封止機構１４２ｂでは、六角孔１６２を有し外周に歯車が切られた（以下、この歯車を「小歯車１４８ｅ」と称する）頭部１４６ｅおよび頭部１４６ｅの反対側に雄螺子が切られている軸部１５０ｅからなる駆動支軸１４４ｅ（六角キャップボルト）を採用している。また、封止機構１４２ｂでは、駆動支軸１４４ｅの軸部１５０ｅの先端の雄螺子と嵌合する雌螺子が切られたパッキン拡張板１５２ｂを使用している。軸部１５０ｅの遮蔽板１３４の背面側にはＣリング１６４が取り付けられている。これにより、六角孔１６２に工具（六角レンチ）を差し込んで回転させた場合に、駆動支軸１４４ｅを移動させず（遮蔽板１３４の表面側に突き出ることなく）、パッキン拡張板１５２ｂを引き寄せたり、引き離したりすることができる。
【００５０】
図１１は、分解点検補助装置１３０の第４の変形例の概略図である。図１１（ａ）がその正面図であり、図１１（ｂ）が図１１（ａ）に吊具１２７を引っ掛けた図であり、図１１（ｃ）がそれを弁座２１８ａ内部に挿入した側断面図である。なお、図１１（ｃ）では、吊具１２７および吊具受け１３８ａの図示を省略している。図１１（ａ）〜（ｃ）に示すように、第４の変形例は、遮蔽板１３４の中央に設けられた１つの駆動支軸１４４ｆによって、パッキン拡張板１５２を引き寄せたり、引き離したりする封止機構１４２ｃを採用した点で、上記と異なる。駆動支軸１４４ｆは、遮蔽板１３４の表面側に配置される頭部としてのブッシュ１４６ｆ（ナット）および遮蔽板１３４の表面から背面へと貫通する軸部１５０ｆからなる。ブッシュ１４６ｆはその内面に雌螺子が切られ、ソケットレンチ１２８で回転可能に六角状に形成される。軸部１５０ｆの遮蔽板１３４の表面側には、雄螺子が切られる。第４の変形例では、上記の小歯車１４８ａ〜１４８ｄや大歯車１４０が廃止される。
【００５１】
第４の変形例では、パッキン拡張板１５２を均等に引き寄せるために、駆動支軸１４４ｆを遮蔽板１３４の中央に設けているため、この駆動支軸１４４ｆに干渉しないように吊具受け１３８ａの位置を設定しなければならない。そのため、分解点検補助装置１３０を吊る際のバランスや強度が問題となる。そこで、図１１（ｂ）に示すように、第４の変形例では略「介」の字状の吊具１２７を使用する。これにより、バランスや強度の問題を解消することができる。なお、吊具１２７の強度に不安がある場合には、略「介」の字状の下部を接続する補強部材１２７ａ（図中点線で記す）を設けるとよい。
【００５２】
再び、図１に戻る。第５ステップＳ１０８では、案内治具１２０を取り外す。第６ステップＳ１１０では、分解点検補助装置１３０、１３２にて封止した手前側の化学除染を実施する。
【００５３】
図１２は、化学除染の実施に際してターンバックルを取り付ける図である。図１２（ａ）がターンバックル２３４の外観図、図１２（ｂ）が図１２（ａ）のターンバックル２３４を化学除染の実施前に取り付けた図であり、図１２（ｃ）が図１２（ｂ）の状態にて化学除染を実施する図である。
【００５４】
上記第４の変形例として説明した封止機構１４２ｃを採用する場合には、図１２（ａ）〜（ｃ）に示すように、化学除染の実施前に弁座２１８ａ、２１８ｂ内部を封止する分解点検補助装置１３０、１３２をそれぞれターンバックル２３４で連結固定するとよい。
【００５５】
図１２（ａ）に示すように、ここでは、両オーフ（オーフボルト）タイプのターンバックル２３４を使用する。図１２（ｂ）に示すように、予め駆動支軸１４４ｆの軸部１５０ｆの先端にオーフ受け１６６（代表して１つ（片側）に符号を付す）を接合しておき、ターンバックル２３４のオーフ孔２３６（代表して１つ（片側）に符号を付す）をオーフ受け１６６に引っ掛ける。そして、工具等を用いてターンバックル２３４を回転させ、分解点検補助装置１３０、１３２をそれぞれ連結固定する。
【００５６】
これにより、図１２（ｃ）に示すように化学除染液を供給して分解点検補助装置１３０、１３２にて封止した手前側の圧力が上昇しても、分解点検補助装置１３０、１３２が強固に連結固定されているため、これらの封止が解かれるおそれを確実に排除できる。なお、ターンバックル２３４は、万が一にも分解点検補助装置１３０、１３２が化学除染液の供給の圧力に屈することのないように予備的に取り付けられるものであり、通常の場合、ターンバックル２３４を取り付けずともまずもって分解点検補助装置１３０、１３２が外れるおそれはない。すなわち、ターンバックル２３４を取り付けなければ、安全性が担保されないわけではない。ターンバックル２３４を取り付けた場合、ターンバックル２３４は第７ステップＳ１１２に移行する前に取り外される。
【００５７】
第７ステップＳ１１２では、仕切弁２１０の点検作業（シート面２２０ａ、２２０ｂの摺り合わせ等）を実施する。本実施形態では、分解点検補助装置１３０、１３２が、弁座２１８ａ、２１８ｂ内部の封止および弁座２１８ａ、２１８ｂ内部の放射線源から発せられる放射線の遮蔽の双方の役割を果たす。よって、第７ステップＳ１１２では、作業者の被爆線量の低減を図ることができ、作業者の交代を繰り返さずとも点検作業を実施できる。そのため、原子炉再循環系２０２の仕切弁２１０の分解点検作業の短縮が可能となる。これにより、定検の短縮が可能となる。なお、当然ながら、第６ステップＳ１１０と第７ステップＳ１１２の間に、風船状の詰め物をするなどの他のステップを入れる必要はない。
【００５８】
仕切弁２１０の点検作業が完了したら、第８ステップＳ１１４および第９ステップＳ１１６へと移行する。第８ステップＳ１１４では、弁座２１８ａ、２１８ｂ内部に挿入していた分解点検補助装置１３０、１３２を取り外す。第９ステップＳ１１６では、再び仕切弁２１０の組立作業（仕切弁２１０を元に戻す）を実施する。
【００５９】
以上、添付図面を参照しながら本発明の好適な実施形態について説明したが、本実施形態はかかる例に限定されないことは言うまでもない。上記では、分解点検補助装置１３０、１３２を定検においてクリティカル工程となる原子炉再循環系２０２の仕切弁２１０に適用する場合について説明したが、原子力発電所の放射線の被曝領域に備えられる他の仕切弁に適用することも当然可能である。当業者であれば、特許請求の範囲に記載された範疇内において、各種の変更例または修正例に想到し得ることは明らかであり、それらについても当然に本発明の技術的範囲に属するものと了解される。
【００６０】
なお、上記のように、原子炉再循環系２０２の仕切弁２１０は水没弁である。水没弁の点検作業は、定検によっては、原子炉圧力容器２００内の圧力容器側のノズルに水の浸入を防ぐプラグを取り付けて（全ての水を抜かずに）行う場合がある。このような場合、ノズルに取り付けたプラグに漏洩があると、当然ながらその漏洩水が仕切弁２１０へと流れてくる。上記分解点検補助装置１３０、１３２によればこのような漏洩水もせき止めることができるが、漏洩水が大量になると取外し作業時に影響が出るので、安全性を高めるため、背面側に溜まった漏洩水を排出するためのワンタッチカプラを遮蔽板１３４に取り付けておいてもよい。
【産業上の利用可能性】
【００６１】
本発明は、原子力発電所等の放射線の被曝領域に備えられる仕切弁の分解点検補助装置およびその案内治具、並びに仕切弁の分解点検方法として利用することができる。
【符号の説明】
【００６２】
１２０…案内治具、１２２…位置合わせ部、１２４…案内部、１２４ａ…傾斜、１２６、１２７…吊具、１２６ａ…引掛孔、１２６ｂ…位置調整取手、１２６ｃ…緩衝部、１２７ａ…補強部材、１２８…ソケットレンチ、１３０、１３２…分解点検補助装置、１３４…遮蔽板、１３４ａ…傾斜、１３６…パッキン、１３６ａ…張出縁、１３６ｂ…傾斜、１３６ｃ…環状のゴムリング（パッキン）、１３８、１３８ａ…吊具受け、１４０…大歯車、１４２、１４２ａ、１４２ｂ、１４２ｃ…封止機構、１４４ａ〜１４４ｄ、１４４ｅ、１４４ｆ…駆動支軸、１４６ａ〜１４６ｄ、１４６ｆ…ブッシュ（頭部）、１４６ｅ…頭部、１４８ａ〜１４８ｄ、１４８ｅ…小歯車、１５０ａ〜１５０ｄ、１５０ｅ、１５０ｆ…軸部、１５２、１５２ａ、１５２ｂ…パッキン拡張板、１６０…窪み、１６２…六角孔、１６４…Ｃリング、１６６…オーフ受け、２００…原子炉圧力容器、２０２…原子炉再循環系、２０８…ポンプ、２１０…仕切弁、２１２…弁箱、２１２ａ…弁体ガイド、２１４…弁蓋、２１６…弁体、２１８ａ、２１８ｂ…弁座、２２０ａ、２２０ｂ…シート面、２３０…チェーンブロック、２３２…フック、２３４…ターンバックル、２３６…オーフ孔
【図１】
2012181082.tif 000003
【図２】
2012181082.tif 000004
【図３】
2012181082.tif 000005
【図４】
2012181082.tif 000006
【図５】
2012181082.tif 000007
【図６】
2012181082.tif 000008
【図７】
2012181082.tif 000009
【図８】
2012181082.tif 000010
【図９】
2012181082.tif 000011
【図１０】
2012181082.tif 000012
【図１１】
2012181082.tif 000013
【図１２】
2012181082.tif 000014